(57)【要約】【課題】本発明は、水中撮影時のカメラマンによるハウジング本体の手動操作性が良く、かつ、コンパクト化が容易で、運搬、保管時の便宜をも図ることもできる水中カメラハウジングを提供する。【解決手段】本発明は、カメラを収納するハウジング本体２と、このハウジング本体２の両側面に配置した把持用の一対のグリップ３１とを有する水中カメラハウジング１であって、ハウジング本体２の側面下部位置から側方に突設したグリップ受部４と、グリップ３１に設けたグリップ受部４に水平方向に回動可能に係合する回動用係合片３２と、回動用係合片３２のグリップ受部４に対する回動位置固定、固定解除を行なう操作ダイヤル３３と、を具備するグリップ回動調整機構部３をハウジング本体２の両側面下部位置に各々設け、一対のグリップ３１を、ハウジング本体２の両側面外側で各々起立状態のままハウジング本体２の前方側、後方側にわたって旋回状態で回動調整可能としたものである。【選択図】図１
2009265565.tif 000002
【特許請求の範囲】
【請求項１】
カメラを収納するハウジング本体と、このハウジング本体の側面に配置した把持用のグリップと、を有する水中カメラハウジングであって、
前記グリップのハウジング本体に対する配置を回動調整可能なグリップ回動調整機構部を備えたことを特徴とする水中カメラハウジング。
【請求項２】
カメラを収納するハウジング本体と、このハウジング本体の両側面に配置した把持用の一対のグリップと、を有する水中カメラハウジングであって、
前記一対のグリップのハウジング本体に対する配置を各々ハウジング本体の前方側、後方側にわたって回動調整可能な一対のグリップ回動調整機構部を備えたことを特徴とする水中カメラハウジング。
【請求項３】
カメラを収納するハウジング本体と、このハウジング本体の両側面に配置した把持用の一対のグリップと、を有する水中カメラハウジングであって、
前記ハウジング本体の側面下部位置から側方に突設したグリップ受部と、前記グリップに設けた前記グリップ受部に水平方向に回動可能に係合する回動用係合片と、前記回動用係合片のグリップ受部に対する回動位置固定、固定解除を行なう操作ダイヤルと、を具備するグリップ回動調整機構部をハウジング本体の両側面下部位置に各々設け、
前記一対のグリップを、ハウジング本体の両側面外側で各々起立状態のままハウジング本体の前方側、後方側にわたって旋回状態で回動調整可能としたことを特徴とする水中カメラハウジング。
【請求項４】
カメラを収納するハウジング本体と、このハウジング本体の両側面に配置した把持用の一対のグリップと、を有する水中カメラハウジングであって、
前記ハウジング本体の側面下部位置から側方に突設したグリップ受部と、前記グリップの下部位置から側方に突設され前記グリップ受部に水平方向に回動可能に係合する回動用係合片と、回動用係合片を貫いてグリップ受部に垂直配置でネジ結合され、回動用係合片のグリップ受部に対する回動位置固定、固定解除を行なう操作ダイヤルと、を具備するグリップ回動調整機構部をハウジング本体の両側面下部位置に各々設け、
前記一対のグリップを、ハウジング本体の両側面外側で各々起立状態のままハウジング本体の前方側、後方側にわたって旋回状態で回動調整可能としたことを特徴とする水中カメラハウジング。
【発明の詳細な説明】
【技術分野】
【０００１】
本発明は、水中カメラハウジングに関し、詳しくは、水中撮影時のカメラマンによるハウジング本体の手動操作性が良好な水中カメラハウジングに関するものである。
【背景技術】
【０００２】
一般に、海中等で魚類や水中植物を撮影する場合には、デジタルカメラ等を水中カメラハウジング内に収容して防水を図り、この状態でカメラマンが水中カメラハウジングの両側面に設けた一対のグリップを両手で把持して水中に潜り、デジタルカメラ等を被写体に向け水中撮影を実行している。
【０００３】
従来用いられている水中カメラハウジングにおいては、一対のグリップが水中カメラハウジング対して定位置に固定された構造のものが殆どであり、このため、カメラマンが陸上撮影に比べ両手の挙動が不自由な水中においてグリップの位置を調整して水中カメラハウジング、すなわち内蔵カメラを被写体撮影のための最適位置に向けるような操作をすることは必ずしも容易ではなく、使い易い操作性を得ることができなかった。
【０００４】
また、グリップが水中カメラハウジングに対して定位置に固定された構造であり、グリップが水中カメラハウジング自体の側方に突出した状態となるため、持ち運び時等のコンパクト化ができず運搬、保管の点でも不便であった。
【０００５】
特許文献１には、カメラを内蔵する水中カメラハウジングの底部に付加されたベースプレートのグリップを兼ねる支柱から伸びるアームの先にストロボを取り付けた構成の水中カメラとストロボとの接続制御システムが開示されている。
【０００６】
この特許文献１の場合も、支柱（グリップ）が水中カメラハウジングに対して定位置に固定された構造であり、やはり水中撮影時に内蔵カメラを被写体撮影のための最適位置に向けるような操作をすることは必ずしも容易ではない。
【特許文献１】特開２０００−０３５６１１号公報
【発明の開示】
【発明が解決しようとする課題】
【０００７】
本発明が解決しようとする問題点は、水中撮影時のカメラマンによる水中カメラハウジングに対する手動操作性が良く、かつ、コンパクト化が容易で、運搬、保管時の便宜をも図ることもできるような水中カメラハウジングが存在しない点である。
【課題を解決するための手段】
【０００８】
本発明の水中カメラハウジングは、カメラを収納するハウジング本体と、このハウジング本体の側面に配置した把持用のグリップと、を有する水中カメラハウジングであって、前記グリップのハウジング本体に対する配置を回動調整可能なグリップ回動調整機構部を備えたことを最も主要な特徴とする。
【発明の効果】
【０００９】
請求項１、２記載の発明によれば、グリップのハウジング本体に対する配置を各々ハウジング本体の前方側、後方側にわたって回動調整可能なグリップ回動調整機構部を備えたことにより、水中撮影時のカメラマンによる水中カメラハウジングに対する手動操作性が良く、かつ、コンパクト化が容易で、運搬、保管時の便宜をも図ることもできる水中カメラハウジングを提供することができる。
【００１０】
請求項３、４記載の発明によれば、グリップを、ハウジング本体の両側面において定常位置、前方に回動した位置、後方に回動した位置の範囲内でカメラマンがもっとも操作し易い位置に旋回状態で回動調整し、ハウジング本体を保持することが可能となり、水中撮影時のカメラマンによるハウジング本体２に関する手動操作性の最適化を実現することができ、また、水中カメラハウジング全体のコンパクト化が可能となり、運搬や保管時の取り扱いの便宜をも図ることもできる水中カメラハウジングを提供することができる。
【発明を実施するための最良の形態】
【００１１】
本発明は、水中撮影時のカメラマンによるハウジング本体の手動操作性が良く、かつ、コンパクト化が容易で、運搬、保管時の便宜をも図ることもできる水中カメラハウジングを提供するという目的を有するものである。
【００１２】
本発明は、カメラを収納するハウジング本体と、このハウジング本体の両側面に配置した把持用の一対のグリップと、を有する水中カメラハウジングであって、前記ハウジング本体の側面下部位置から側方に突設したグリップ受部と、前記グリップに設けた前記グリップ受部に水平方向に回動可能に係合する回動用係合片と、前記回動用係合片のグリップ受部に対する回動位置固定、固定解除を行なう操作ダイヤルと、を具備するグリップ回動調整機構部をハウジング本体の両側面下部位置に各々設け、前記一対のグリップを、ハウジング本体の両側面外側で各々起立状態のままハウジング本体の前方側、後方側にわたって旋回状態で回動調整可能とした構成により上記目的を実現した。
【実施例】
【００１３】
以下に、本発明の実施例に係る水中カメラハウジングについて図面を参照して詳細に説明する。
【００１４】
本発明の実施例に係る水中カメラハウジング１について、図１乃至図９を参照して説明する。
【００１５】
本実施例に係る水中カメラハウジング１は、図１、図２及び図４、図５に示すように、例えばデジタルカメラ等を内部に収納するハウジング本体２と、このハウジング本体２の両側面にハウジング本体２に沿って起立状態に配置したカメラマン把持用の一対の略丸棒状形態のグリップ３１、３１と、を有している。
【００１６】
前記一対のグリップ３１、３１は、ハウジング本体２の両側面下部位置に各々設けたグリップ回動調整機構部３、３を介してハウジング本体２に対し各々起立状態のまま図３に示すように前方側、後方側にわたって旋回状態で回動調整可能に連結している。
【００１７】
前記各グリップ回動調整機構部３、３は、ハウジング本体２に関して左右対称配置で同一構成であるため、ここではハウジング本体２の背面側から見て左側（左側面）のグリップ回動調整機構部３を主にし、かつ、図２をも参照して具体的に説明する。
【００１８】
前記各グリップ回動調整機構部３は、前記ハウジング本体２の左側面の下部位置から側方に突設した平行配置の一対の受板５ａ、５ｂからなるグリップ受部４と、前記グリップ３１の下部位置から直角側方に突設され、前記グリップ受部４における一対の受板５ａ、５ｂの間に水平方向に挿入されて回動可能に係合する回動用係合片３２と、前記受板５ｂ及び前記回動用係合片３２を下方から上方に向けて垂直に貫き、前記グリップ受部４の受板５ａ側にネジ結合され、締め操作により前記回動用係合片３２のグリップ受部４に対する回動位置固定を行ない、逆に緩め操作により前記回動用係合片３２のグリップ受部４に対する固定解除を行なう操作ダイヤル３３と、を有している。
【００１９】
前記ハウジング本体２の背面側から見て右側（右側面）のグリップ回動調整機構部３も上述した場合と同様な構成としている。
【００２０】
前記ハウジング本体２は、フロントケース６、リアケース８により囲まれる内部空間によりデジタルカメラ等を内蔵するための収納スペースを形成するとともに、図 １に示すパチン錠７によりフロントケース６、リアケース８を密に固定するように構成している。
【００２１】
また、前記ハウジング本体２の上面には、アクセサリグシュー９、ＴＴＬコンバータ用コネクタ１０、ストロボコネクタ１１、電源スイッチ１２、露出モード釦／フォーマット釦１３等の釦類等が設けられている。
【００２２】
前記ハウジング本体２の右側面には、シャッターレバー１４、サブコマンドダイヤル１５等が設けられ、また、左側面にはフォーカス／ズームダイヤル１６、フォーカスモードダイヤル１７等が設けられている。さらに、前記ハウジング本体２の正面には、ドームポート１８が設けられている。
【００２３】
前記グリップ３１は、その中央部にカメラマンの手により持ちやすい形状とした把持部３４が形成され、また、その底部にハウジング本体２の安定性増強用のグリップラバー３５が配置され、頂部にブラケットシュー３６、ラニヤードフック３７を配置している。
【００２４】
次に、本実施例に係る水中カメラハウジング１の作用を、前記グリップ３１、３１の回動を主にし、図４乃至図９をも参照して説明する。
【００２５】
図４、図５は前記グリップ３１、３１をハウジング本体２に対して定常位置とした状態を、図６、図７は前記グリップ３１、３１をハウジング本体２に対して前方に回動した状態を、図８、図９は前記グリップ３１、３１をハウジング本体２に対して後方に回動した状態を各々示すものである。
【００２６】
すなわち、本実施例に係る水中カメラハウジング１によれば、前記各グリップ回動調整機構部３の操作ダイヤル３３の締め操作により前記回動用係合片３２のグリップ受部４に対する回動位置固定を行ない、逆に操作ダイヤル３３の緩め操作により前記回動用係合片３２のグリップ受部４に対する固定解除を行ない、さらに、前記グリップ３１、３１を手に持って操作ダイヤル３３の部分を支軸として回動させる操作を行ない、これらの操作を適宜組み合わせる。
【００２７】
これにより、前記グリップ３１、３１を、ハウジング本体２の両側面において上述した定常位置、前方に回動した位置、後方に回動した位置の範囲内でカメラマンがもっとも操作し易い位置に旋回状態で回動調整し、ハウジング本体２を保持することが可能となり、水中撮影時のカメラマンによるハウジング本体２に関する手動操作性の最適化を実現することができる。
【００２８】
また、前記グリップ３１、３１を、図６、図７に示す前方に回動した位置、又は、図８、図９に示す後方に回動した位置とし、操作ダイヤル３３の締め操作で固定することにより、水中カメラハウジング１全体のコンパクト化が可能となり、これらより、運搬や保管時の取り扱いの便宜をも図ることもできる。
【産業上の利用可能性】
【００２９】
本発明は、上述したようなハウジング本体の両側にグリップを回動調整可能に取り付けた構成とする他、ハウジング本体の片側にのみグリップを回動調整可能に取り付けた構成としたり、ビデオカメラ用のハウジング本体にグリップを回動調整可能に取り付けた構成としたり等、広範に応用可能である。
【図面の簡単な説明】
【００３０】
【図１】本発明の実施例に係る水中カメラハウジングの概略斜視図である。
【図２】本実施例に係る水中カメラハウジングにおけるグリップ及びグリップ回動調整機構部の部分拡大斜視図である。
【図３】本実施例に係る水中カメラハウジングにおけるグリップの回動状態を示す説明図である。
【図４】本実施例に係る水中カメラハウジングのグリップを定常位置とした場合の正面図である。
【図５】本実施例に係る水中カメラハウジングのグリップを定常位置とした場合の平面図である。
【図６】本実施例に係る水中カメラハウジングのグリップを前方に回動した状態の正面図である。
【図７】本実施例に係る水中カメラハウジングのグリップを前方に回動した状態の平面図である。
【図８】本実施例に係る水中カメラハウジングのグリップを後方に回動した状態の正面図である。
【図９】本実施例に係る水中カメラハウジングのグリップを後方に回動した状態の正面図である。
【符号の説明】
【００３１】
１    水中カメラハウジング
１Ａ  水中カメラハウジング
２    ハウジング本体
３    グリップ回動調整機構部
４    グリップ受部
５ａ  受板
５ｂ  受板
６    フロントケース
７    パチン錠
８    リアケース
９    アクセサリーシュー
１０    ＴＴＬコンバータ用コネクタ
１１    ストロボコネクタ
１２    電源スイッチ
１３    露出モード釦／フォーマット釦
１４    シャッターレバー
１５    サブコマンドダイヤル
１６    フォーカス／ズームダイヤル
１７    フォーカスモードダイヤル
１８    ドームポート
３１    グリップ
３２    回動用係合片
３３    操作ダイヤル
３４    把持部
３５    グリップラバー
３６    ブラケットシュー
３７    ラニヤードフック
【図１】
2009265565.tif 000003
【図２】
2009265565.tif 000004
【図３】
2009265565.tif 000005
【図４】
2009265565.tif 000006
【図５】
2009265565.tif 000007
【図６】
2009265565.tif 000008
【図７】
2009265565.tif 000009
【図８】
2009265565.tif 000010
【図９】
2009265565.tif 000011